(57)【要約】【課題】本発明はパソコンの周辺機器をＲＪ１１又はＲＪ４５のメス側に固定するコネクタを提供する。【解決手段】本発明のコネクタはさらに第一接続部と第二接続部を含む。前記第一接続部は前記ＲＪ１１又はＲＪ４５のメス側に適用するオス側を含み、前記第二接続部は前記コネクタを前記パソコンの周辺機器に固定するのに用いられる磁石を含む。【選択図】  図８
2008052694.tif 000002
【特許請求の範囲】
【請求項１】
パソコンの周辺機器をＲＪ１１又はＲＪ４５のメス側に固定するコネクタであって、
前記ＲＪ１１又はＲＪ４５のメス側に適用されるオス側を含む第一接続部と、
前記コネクタを前記パソコンの周辺機器に固定するための第二接続部を具備し、前記第二接続部がさらに磁石を含むことを特徴とするコネクタ。
【請求項２】
前記コネクタが一体成型により形成されることを特徴とする請求項１に記載するコネクタ。
【請求項３】
前記第一接続部は互いに並行する第一表面と第二表面を有し、前記第一表面は弾性アームを有し前記第二表面は溝を有することを特徴とする請求項２に記載するコネクタ。
【請求項４】
前記コネクタはさらに前記第一接続部と第二接続部の間に形成される凸端を含むことを特徴とする請求項２に記載するコネクタ。
【請求項５】
前記パソコンの周辺機器はマウスであり、前記マウスは底蓋、前記底蓋に設置される浅溝、前記溝に設置される金属板を含むことを特徴とする請求項２に記載するコネクタ。
【発明の詳細な説明】
【技術分野】
【０００１】
本発明はコネクタに関わり、特に通信のメス側とパソコンの周辺機器を繋ぐコネクタに係わる。
【背景技術】
【０００２】
ノート型パソコンは持ち運びができるという特性により、ユーザーがますます増えている。一般的なノート型パソコンはタッチパッドを入力装置としている。
【０００３】
しかし多くのユーザーはマウスを入力装置とすることに慣れている。従ってもしオフィス内でノート型パソコンを使用するならば、マウスはやはりなくてはならない周辺機器である。
【０００４】
一般的なオフィスユーザーは、一時ノート型パソコンを他の場所に移動させる必要がある時、例えば会議室で会議がある時など、大多数はやはりマウスを持ち運ばなくてはならない。マウスとノート型パソコンは別の個体であるので、移動中にマウスを落下させないように携帯時は特別に注意する必要がある。
【０００５】
この問題を解決するために、従来はマウスをノート型パソコンに取り付けることができる設計が生みだされた。例えば米国特許第6784870号では取り外し可能なマウスを備えるノート型パソコンが提案されている。図１に示すように、第6784870号はマウスをノート型パソコンに取り付けられるように、ノート型パソコン本体１０とマウス本体２０の設計に対応する結合構造３０である。
【０００６】
図２に別の従来のマウスをノート型パソコンに取り付けることができる設計を示す。図２は台湾特許第398642号の概略図である。台湾特許第398642号はマウス６０を直接ノート型パソコン４０内に収納できるように、ノート型パソコン４０上に収納溝５０を設置している。
【０００７】
しかし、従来のマウスをノート型パソコンに取り付ける方式はノート型パソコン上に対応する固定構造を別に設置しなければならず、つまり一種のマウスは一種のノート型パソコンにしか適用できない。使用上の制限を増やすことになる。
【０００８】
従来のマウスをノート型パソコンに取り付ける方式の欠点を改善する為に、出願人は2005年12月29日に中華民国第94143533号、名称「収納ができる係止モジュールを有するマウス」の発明特許を出願し、図１と図２の問題を解決した。
【０００９】
図３に第94143533号の特許請求の概略図を示す。前記特許請求において、出願人はマウス内にマウス内部に収納される係止モジュール７０を設置した。図３はさらに多くのノート型パソコンに設置されている鍵穴８０、呼称ケンジントンロックを示す。ケンジントンロックはノート型パソコンが盗まれないように、ユーザーがロック装置をパソコンの中に取り付けて用いるものである。パソコン売り場や展覧会場で展示されているノート型パソコンはみなこの鍵穴が使用されている。前記請求案はマウスの係止モジュール７０の係止部を前記鍵穴８０内に嵌めることにより、マウスをノート型パソコンに取り付けるという目的を達成する。
【発明の開示】
【発明が解決しようとする課題】
【００１０】
しかし出願人が提出した前記台湾特許請求は図１と図２における従来の欠点を解決しているが、係止モジュール７０は多くの部品により構成されているので、マウスのコストが増え、また係止モジュールはマウス内に収納されるので、マウスの体積が増す。
【００１１】
従って、絶対多数のノート型パソコンに適用でき、且つ低コストの解決案が必要である。
【課題を解決するための手段】
【００１２】
本発明の目的はマウスとノート型パソコンのRJ１１或いはRJ４５のデータ通信のメス側を接続するのに用いられるコネクタを提供するもので、それによりマウスをノート型パソコンに固定することができる。
【００１３】
本発明はコネクタに関わり、パソコンの周辺機器をＲＪ１１又はＲＪ４５のメス側に固定するものであって、前記ＲＪ１１又はＲＪ４５のメス側に適用されるオス側を含む第一接続部と、前記コネクタを前記パソコンの周辺機器に固定するための第二接続部を具備し、前記第二接続部がさらに磁石を含む。
【００１４】
最適なものは、前記コネクタが一体成型により形成される。
【００１５】
最適なものは、前記第一接続部が互いに並行する第一表面と第二表面を有し、前記第一表面は弾性アームを有し前記第二表面は溝を有する。
【００１６】
最適なものは、前記コネクタがさらに前記第一接続部と第二接続部の間に形成される凸端を含む。
【００１７】
最適なものは、前記パソコンの周辺機器がマウスであり、前記マウスは底蓋、前記底蓋に設置される浅溝、前記溝に設置される金属板を含む。
【発明を実施するための最良の形態】
【００１８】
図４に従来のノート型パソコンに係わる側面図を示す。図４のノート型パソコン１００は二つのデータ通信のメス側１０１と１０２を有する。そのうちメス側１０１がモデムに接続するためのRJ１１のメス側であり、メス側１０２はLANに接続するためのRJ４５のメス側である。
【００１９】
図５に本発明のコネクタ及び前記コネクタを用いることができるマウスの最適な実施例の概略図を示す。図５には本発明のコネクタ２００とマウス３００が示されている。コネクタ２００は第一接続部２０１と第二接続部２０２を含み、マウス３００は底蓋３０１と底蓋３０１上に設けられている浅溝３０２内の金属板３０１１を有する。そのうち第一接合部２０１はノート型パソコンのRJ１１或いはRJ４５のデータ通信のメス側に挿入するのに用いられ、第二接合部２０２は磁石２０２１を含み、磁石２０２１を前記マウスの底蓋の金属板３０１１に接触させることにより、コネクタ２００をマウス３００にくっつける
【００２０】
図６と図７を用いて、本発明であるコネクタの使用方法を以下に説明する。ユーザーはまずコネクタ２００の第一接続部２０１を例えばRJ１１メス側１０１のようなノート型パソコンのデータメス側に挿入し、続いてコネクタ２００の第二接続部２０２の磁石２０２１をマウス３００の金属板３０１１にくっつける。これによりコネクタ２００をRJ１１メス側１０１とマウス３００に接続させることができ、マウス３００をノート型パソコン１００の側面に固定することができる。図７に示すとおりである。
【００２１】
図８（a）、（b）に図２のコネクタ２００に係わる構造の概略図を示す。図８（a）は第一接続部２０１方向におけるコネクタ２００の正投影図で、図８（b）は第二接続部２０２方向におけるコネクタ２００の正投影図である。
【００２２】
図８（a）、（b）に示すように、コネクタ２００は第一接合部２０１と第二接合部２０２を含む。第一接合部２０１はRJ１１メス側１０１に挿入するために用いられ、且つ互いに並行する第一表面２０１１及び第二表面２０１２を有する。第一表面２０１１上に弾性アーム２０１１A、前記第二表面２０１２上に溝２０１２Aを持っている。第二接合部２０２はマウス３００の底蓋の金属板３０１１にくっつけるための磁石２０２１を含む。図９は金属板３０１１がマウスの底蓋３０１に固定され、磁石２０２１がコネクタ２００に固定されていることを示す最適な実施例の概略図である。図９において、マウス３００はナット３０１２と金属板３０１１を含む。そのうち金属板３０１１はネジ山３０１１Aを有し、底蓋３０１は孔３０１３を有する。金属板３０１１にネジ穴３０１３を貫通させ金属片３０１１のネジ山３０１１Aをナット３０１２に固定することで金属板３０１１をマウスの底蓋３０１の浅溝３０２内に固定させることができる。このほか、第二接続部２０１は磁石２０２１を収納するための溝２０２２を有する。組み立て完了後のコネクタ２００とマウスの底蓋３０１の状態図を図１０に示す。
【００２３】
このほか、第一接続部２０１と第二接続部２０２の交わるところに凸端２０３を含む。そのうち第二接続部２０２がマウス３００の浅溝３０２に挿入され、凸端２０３に接触するとき、第二接続部２０２が完全にマウス３００の浅溝３０２に挿入されたということを示す。
【００２４】
以下にコネクタ２００に含まれている構造が有する機能について詳しく説明する。図８（a）、（b）に示すように、第一接続部２０１は弾性アーム２０１１Aを有し且つ第一接続部２０１の形状はRJ１１メス側の形状に合うように設計されており、従来のRJ１１のオス側に類似している。第一接続部２０１がRJ１１のメス側１０１内に挿入される時、弾性アーム２０１１Aは第一接続部２０１をRJ１１のメス側１０１内で係止させる。これは従来のRJ１１のオス側とRJ１１のメス側の結合方式に類似している。
【００２５】
ユーザーがマウス３００をパソコン１００から取り外す時、わずかな力をかけることでマウス３００をコネクタ２００から取り外すことができる。コネクタ２００をRJ１１のメス側１０１から取り外す時、弾性アーム２０１１Aの係止力を取り除くために弾性アーム２０１１Aを押すことにより、第一接続部２０１をRJ１１のメス側１０１から取り外すことができる。
【００２６】
また、図８（a）に示すように、第一接続部２０１の第二表面２０１２に溝２０１２Aがある。従来のRJ１１のオス側はRJ１１のメス側に挿入される時RJ１１のメス側内の電子接点と電気的な接触をするための電気的な接点を有する。しかし本発明のコネクタ２００の目的はマウス３００をRJ１１のメス側１０１によりノート型パソコン１００に固定することであり、従ってコネクタ２００はRJ１１のメス側１０１と電気的な接触をする必要がない。溝２０１２Aの設置の目的は第一接続部２０１がRJ１１のメス側１０１内に挿入される時、第一接続部２０１の任意の部分がRJ１１のメス側内にもともとある電気的な接点に触れないようさせるためであり、つまり前記のようなメス側内の電気的な接点を損傷させないですむ。
【００２７】
コネクタ２００の第二接続部２０２について延べる。第二接続部２０２は磁石２０２２をマウスの底蓋３０１の金属板３０１１にくっつけるのに用いられ、マウスをコネクタ２００に固定することができる。磁石と金属板３０１１間の引き合う力によりコネクタ２００を容易にマウスの底蓋に固定することができ、操作上非常に便利である。
【００２８】
以上述べたことをまとめれば、本発明のコネクタはRJ１１或いはRJ４５のメス側に合うような第一接続部を有する構造を設けることによりマウスをノート型パソコンに固定することができる。RJ１１とRJ４５のメス側はノート型パソコンの必須の連接バーであるので、本発明のコネクタはさまざまなノート型パソコンに適用することができる。また、RJ１１のメス側とRJ４５のメス側の形状がもともとRJ１１のオス側とRJ４５のオス側としっかりと結合できるものであるので、RJ１１のメス側とRJ４５のメス側を用いてコネクタの固定メス側とし最適な安定性を提供することができる。また、磁力を用いてコネクタをマウスと結合させる方式は操作上非常に便利である。このほか、本発明は一つのコネクタだけでマウスをノート型パソコンに固定でき、前記コネクタが一体成型により形成されるので、必要なコストは極めて廉価である。
【００２９】
しかし、以上述べたことは、本発明における最良の実施例の詳細な説明と図にすぎず、本発明の特徴はこれだけに限られず、本発明を制限するものではない。本発明のすべての範囲は上記の請求範囲に準じ、本発明の請求範囲の主旨と類似した実施例に合致し、本発明の範疇に属する。この領域を熟知している技術者が、本特許の範囲内で、手を加え、変更したものはすべて、上記の特許請求の範囲内に含まれる。
【図面の簡単な説明】
【００３０】
【図１】アメリカ特許第6784870号に係わる取り外し可能なマウスを備えるノート型パソコンの概略図。
【図２】台湾特許第398642号に係わる概略図。
【図３】中華民国特許第94１43533号に係わる収納ができる係止モジュールを有するマウスの概略図。
【図４】従来のノート型パソコンに係わるRJ１１とRJ４５のメス側の概略図。
【図５】本発明に係わるコネクタ及び前記コネクタを用いることができるマウスの概略図。
【図６】本発明に係わるコネクタをRJ１１のメス側に挿入したときの概略図。
【図７】マウスが本発明のコネクタによりノート型パソコンに固定されるときの概略図。
【図８】(a)は本発明に係わるコネクタの第一接続部方向での概略図であり、(b)は本発明に係わるコネクタの第二接続部方向での概略図。
【図９】本発明に係わる金属板がマウスの底蓋に固定され、磁石がコネクタに固定されていることを示す最適な実施例の概略図。
【図１０】本発明に係わる金属板がマウスの底蓋に固定され、磁石がコネクタに固定されていることを示す最適な実施例の組み合わせ概略図。
【符号の説明】
【００３１】
１０  パソコン本体
２０  マウス本体
３０  接合構造
４０  ノート型パソコン
５０  収納溝
６０  マウス
７０  係止モジュール
８０  鍵穴
１００  ノート型パソコン
１０１  データ通信のメス側
１０２  データ通信のメス側
２００  コネクタ
２０１  第一接続部
２０１１  第一表面
２０１１A  弾性アーム
２０１２  第二表面
２０１２A  溝
２０２  第二接続部
２０２１  磁石
２０３  凸端
３００  マウス
３０１１  金属板
３０２  浅溝
【図１】
2008052694.tif 000003
【図２】
2008052694.tif 000004
【図３】
2008052694.tif 000005
【図４】
2008052694.tif 000006
【図５】
2008052694.tif 000007
【図６】
2008052694.tif 000008
【図７】
2008052694.tif 000009
【図８】
2008052694.tif 000010
【図９】
2008052694.tif 000011
【図１０】
2008052694.tif 000012